(57)【要約】【課題】標準時刻表示した後、この標準時刻の同期信号を用いて短時間に、秒時刻修正を行うことができるようにする。【解決手段】標準時刻電波を受信して、該標準時刻電波から標準時刻情報を検出する時刻情報検出回路（１４）と、内部時計１４０１と、前記時刻情報検出回路から導出された同期信号と前記内部時計の時刻を比較し、該比較結果に基づいて時刻情報を修正する制御信号を発生する制御回路１４と、前記補正回路からの制御信号により修正された時刻情報を表示する時刻表示部１２１とを有し、秒時刻を修正する。【選択図】図１
2006010487.tif 000002
【特許請求の範囲】
【請求項１】
標準時刻電波を受信して、該標準時刻電波から標準時刻情報を検出する時刻情報検出回路と、
内部時計と、
前記時刻情報検出回路から出力された同期信号のパルスレベルの切り換わり時刻と前記内部時計から出力された時刻情報のパルスレベルの切り替わり時刻を比較し、該比較結果に基づいて時刻情報を修正する制御信号を発生する補正回路と、
前記補正回路からの制御信号により修正された時刻情報を表示する時刻表示部と
を有する電波修正時計。
【請求項２】
前記補正回路は、前記時刻情報の修正を、前記標準時刻情報の全コードを用いて時刻修正した後で行うようにした
請求項１記載の電波修正時計。
【請求項３】
前記補正回路は、前記同期信号を前記標準時刻情報のマーカーコードとする
請求項１または２に記載の電波修正時計。
【請求項４】
前記同期信号を秒同期信号とし、該秒同期信号のパルスレベルの切り換わり時刻と前記内部時計から出力された秒時刻データのパルスレベルの切り換わり時刻と比較した
請求項１から３のいずれか１つに記載の電波修正時計。
【請求項５】
前記補正回路は、前記比較結果が設定値より小さい場合前記時刻情報を修正せず、該設定値より大きい場合前記時刻情報を修正するようにした
請求項１から４のいずれか１つに記載の電波修正時計。
【発明の詳細な説明】
【技術分野】
【０００１】
本発明は、例えば、標準時刻電波信号を受信して時刻修正を行う電波修正時計に関する。
【背景技術】
【０００２】
標準時刻電波信号は、例えば、標準時刻情報をＢＣＤ（１０進化２進数）により符号化し、予め規定された時間軸上の３種類のパルス幅の信号に応じて、標準電波が振幅変調されて生成される。
一般的な電波修正時計は、この標準電波信号を受信し、時間軸上のパルス幅により３種類の信号に分類し、その分類結果を基に符号化された時刻情報を復号して標準時刻情報を得る（例えば、特許文献１参照）。
また、時刻表示部で秒針を修正する場合、全コードを受信して時、分、秒のデータを読み取り、その結果を用いて秒修正を行っていた。
【特許文献１】特許第２５４５６５２号公報
【発明の開示】
【発明が解決しようとする課題】
【０００３】
上述した特許文献１に示した電波修正時計では、パルス幅を判定して３種類の信号に分類するが、電波受信状態が悪い際にはノイズ等が標準時刻電波信号に混在して、正確にパルス幅を判定することが困難な場合があり、正確に標準時刻電波信号から時刻情報を受信できないために時刻修正を適切に行うことができない場合がある。
【０００４】
また、電波修正時計では、１分間の標準時刻電波信号の内に分情報、時情報、日情報等が含まれるために、数分間連続して標準時刻電波信号を受信して積算し、その積算結果に基づいて時刻情報を抽出していた。このため一回でもデータが正確に読み取られなければ時刻の補正はできなかった。
さらに、一度全コード受信したのち再度時刻修正するときでも、標準時刻電波信号の時間情報を全て受信し、かつ正確に読み取る必要があった。
【０００５】
本発明は、かかる事情に鑑みてなされたものであり、その目的は、秒同期信号を用いて短時間に秒修正を行うことができる電波修正時計を提供することにある。
【課題を解決するための手段】
【０００６】
前記目的を達成するために、本発明の電波修正時計は、標準時刻電波を受信して、該標準時刻電波から標準時刻情報を検出する時刻情報検出回路と、内部時計と、前記時刻情報検出回路から出力された同期信号のパルスレベルの切り換わり時刻と前記内部時計から出力された時刻情報のパルスレベルの切り替わり時刻を比較し、該比較結果に基づいて時刻情報を修正する制御信号を発生する補正回路と、前記補正回路からの制御信号により修正された時刻情報を表示する時刻表示部とを有する。
【発明の効果】
【０００７】
本発明によれば、全コード受信モードで時刻情報に基づいて時刻修正した後、秒受信モードにおける秒同期信号と内部時計情報を用いて両者の秒情報（データ）間の、遅れ・進み情報を演算累積し、その結果によって時刻修正を行うことができ、短時間に時刻修正することができる。
【発明を実施するための最良の形態】
【０００８】
本発明に係る電波修正時計は、少なくとも標準時刻の秒毎にパルスのレベルが切り換わるように変調された標準時刻電波信号を受信し、その標準時刻電波信号から秒同期信号を抽出し、内部時計の秒情報と比較演算し、当該演算を累積した結果に基づいて内部時計が計時する時刻情報のうち秒情報を修正する。
以下、図面を参照しながら、本発明の一実施形態に係る電波修正時計を説明する。
【０００９】
図１は本発明に係る電波修正時計の第１実施形態に係る電気的な機能ブロック図である。図２は図１に示した電波修正時計の構成図である。図３は図２に示した電波修正時計の断面図である。
【００１０】
本実施形態に係る電波修正時計１は、例えば図１〜３に示すように、標準電波受信系１１、スイッチ群１２、発振回路１３、制御回路１４、ドライブ回路１５、発光素子１６、バッファ回路１７、ドライブ回路１８、時計本体１００、第１のモータ（秒針用モータ）１２１、第２のモータ（時分針用モータ）１３１、光検出センサ１４０、手動修正系１５０、トランジスタＱ１〜Ｑ２、および抵抗素子Ｒ１〜Ｒ４、キャパシタＣ１３１，Ｃ１３２を有する。
制御回路１４は本発明に係る制御手段の一例に相当する。
【００１１】
標準電波受信系１１は、例えば不図示の標準電波送信所から送信された標準時刻情報（時刻コードとも言う）を含む標準電波（標準時刻電波信号とも言う）を受信して信号Ｓ１１として制御回路１４に出力する。
【００１２】
標準電波受信系１１は、例えば図１に示すように、アンテナＡＮＴ、および長波受信回路（標準電波受信回路）１１０を有する。
長波受信回路１１０は本発明に係る標準電波受信手段に相当する。
【００１３】
長波受信回路１１０は、例えばアンテナＡＮＴを介して入力された標準時刻電波信号を信号Ｓ１１として制御回路１４に出力する。詳細には長波受信回路１１０は、例えば不図示のＲＦアンプ、検波回路、波形整形回路を有し、増幅処理、検波処理等を行い、処理結果の標準時刻信号を信号Ｓ１１として出力する。制御回路１４は信号Ｓ１１を基に内部時計１４０１や表示時刻の修正を行う。
【００１４】
また、例えば長波受信回路１１０は、制御回路１４から出力された、標準時刻電波信号の受信オン状態または受信オフ状態を制御させる制御信号ＣＴＬ１１に基づいて、標準時刻電波信号の受信オン状態または受信オフ状態を制御する。
【００１５】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準時刻電波信号は、例えば、少なくとも標準時刻の秒毎にパルスのレベルが切り換わるように変調されている。また、標準時刻電波信号は、標準時刻のうち分情報、時情報、日情報、うるう秒情報、またはサマータイム情報のいずれかに応じて規定された信号を基に変調されている。
【００１６】
詳細には、標準電波受信系１１で受信される標準電波は、図４（ａ）に示すような形態で送られてくる。
【００１７】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
詳細には、標準時刻電波信号は、標準時刻の秒毎に、パルスの信号レベルが最小値１０％から最大値１００％に立ち上がるように振幅変調されている。より詳細には、標準時刻電波信号は、最小値１０％と最大値１００％の中間値５５％が、標準時刻の秒に同期するように振幅変調されている。
【００１８】
制御回路１４は、長波受信回路１１０が受信した標準時刻電波信号から、上述したパルスの信号レベルの切り換わり点、詳細にはパルスのレベルの立ち上がり、詳細には１０％から１００％の中間値を切り換わり点として検出し、当該検出した結果に基づいて内部時計１４０１が計時する時刻情報のうち秒情報を修正する。
【００１９】
そして、受信状態が良好な場合には、標準電波受信系１１からは図４（ｂ）に示すように、標準電波信号に応じたパルス信号として信号Ｓ１１が、制御回路１４に出力される。
【００２０】
この信号Ｓ１１は、例えば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００２１】
次に、長波標準電波の送信データについて説明する。
図５は、標準時刻電波信号の時刻コードの一例を示している。毎時１５，４５分以外のフォーマットの一例を示す図である。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２２】
また、標準時刻電波信号は、例えば毎時１５，４５分以外では図５に示すように、１フレーム中０秒目から５３秒目の間の第１の期間ＴＬ１には、分情報、時情報、積算日情報、年情報、曜日情報等の時刻情報を含む。それ以外の５４秒目から５９秒目の間の第２の期間ＴＬ２には、時刻情報ではない非時刻情報を含んでいる。
また、標準時刻電波信号は、例えば毎時１５，４５分では不図示の１フレーム中０秒目から３４秒目の間の第１の期間ＴＬ１には、分情報、時情報、積算日情報等の時刻情報を含む。それ以外の３５秒目から５９秒目の間の第２の期間ＴＬ２には、時刻情報でない非時刻情報を含んでいる。非時刻情報は例えば呼び出し符号情報や停波情報、その他、時刻情報と関係のない情報である。
【００２３】
例えば図１に示すように、スイッチ群１２は、時刻修正スイッチＳＷ１２１、およびリセットスイッチＳＷ１２２を有する。
時刻修正スイッチＳＷ１２１は、例えば強制的に時刻修正を行う際に操作され、操作に応じて信号Ｓ１２１を制御回路１４に出力する。制御回路１４は、時刻修正スイッチＳＷ１２１から信号Ｓ１２１が入力されると、後述するように、標準電波受信系１１で受信した標準時刻電波信号に基づいて、内部時計による時刻情報を修正し、指針の位置検出を行った後、内部時計１４０１による時刻情報を基に時刻修正処理を行う。
【００２４】
リセットスイッチＳＷ１２２は、内部状態をリセットする際に操作され、操作に応じて信号Ｓ１２２を制御回路１４に出力する。制御回路１４は、信号Ｓ１２２に基づいてリセット処理を行う。
【００２５】
発振回路１３は、例えば水晶発振器ＣＲＹおよびキャパシタＣ１３１，Ｃ１３２により構成され、所定周波数の基本クロックを示す信号Ｓ１３を制御回路１４に供給する。
【００２６】
制御回路１４は、例えば内部時計１４０１、およびメモリ１４０２を有する。
内部時計１４０１は、本発明に係る内部時計の一例に相当する。
【００２７】
内部時計１４０１は、例えば、発振回路１３による発振信号Ｓ１３に基づいて時刻情報を計時する。詳細には、内部時計１４０１は、例えば年情報カウンタ、月情報カウンタ、日情報カウンタ、曜情報カウンタ、時情報を計時する時カウンタ、分情報を計時する分カウンタ、および秒情報を計時する秒カウンタ等を含む。
【００２８】
メモリ１４０２は、例えば、制御回路１４のワークスペースとして用いられる。例えば、メモリ１４０２はＲＡＭ（Random Access Memory）やＲＯＭ（Read Only Memory）等で構成される。また、例えばメモリ１４０２は、本発明に係る処理手順を含むプログラムを有し、制御回路１４は、プログラムを実行することにより本発明に係る処理手順を実現する。
【００２９】
制御回路１４は、長波受信回路１１０が受信した標準時刻電波信号のパルスのレベルの切り換わり点を検出し、当該検出した結果に基づいて内部時計１４０１が計時する時刻情報のうち秒情報を修正する。
【００３０】
以下、制御回路１４について図を参照しながら詳細に説明する。
【００３１】
遅れ・進み判定回路について、図６と図９を用いて説明する。図６に遅れ・進み判定回路の具体回路構成を示す。内部クロック１Ｈｚのｄ信号を供給する端子ＴｄはＤＦＦｂ１のＤ入力端子とＤＦＦｂ２のＤ入力端子にそれぞれ接続される。また、Ｔｄ端子はＤＦＦａ１のＣＫ入力に接続されるとともに、ＡＮＤ１回路とＸＮＯＲの一方の入力端子にそれぞれ接続される。
一方基準クロック１秒のｅ信号を供給するＴｅ端子はＤＦＦｂ１のＣＫ入力端子とＤＦＦａ１のＤ入力端子に接続される。またＴｅ端子はさらに、ＸＮＯＲ（Exclusive NOR回路）の他方の入力端子、ＩＮＶ３に接続され、さらにＤＦＦａ２のＤ入力端子に接続される。このＸＮＯＲ回路の出力端子はＮＯＲ１回路とＮＯＲ２回路の第１の入力端子にそれぞれ接続されている。
ＤＦＦａ１のＱ出力はＡＮＤ１回路の他方の入力端子に接続され、またＮＯＲ１回路の第４入力端子とＮＯＲ２回路の第２入力端子にそれぞれ接続されている。ＤＦＦａ２のＱ出力端子はＮＯＲ１回路とＮＯＲ２回路の第５入力端子にそれぞれ接続されている。
ＤＦＦｂ１のＱ出力端子はＮＯＲ１回路の第２入力端子とＮＯＲ２回路の第３入力端子に、ＤＦＦｂ２のＱ出力端子はＮＯＲ１回路の第３入力端子とＮＯＲ２回路の第４入力端子に接続されている。
ＮＯＲ１回路の出力から内部クロック進み信号ｋが導出され、またＮＯＲ２回路の出力端子からは内部クロック遅れ信号ｌが導出される。
【００３２】
次に、この遅れ・進み判定回路の動作について、図６と図９を用いて説明する。
図９に示すように、内部クロックｄ信号（以後、ｄ信号と記載する）が基準クロックｅ（以後ｅ信号と記載する）より位相がｔ０において進んでいた場合について説明する。このとき、ｄ信号は“Ｈ”レベル、ｅ信号は“Ｌ”レベルである。ＸＮＯＲ回路の一方の入力はｄ信号の“Ｈ”レベルが供給され、他方の入力端子にはｅ信号の“Ｌ”レベルが供給され、ＸＮＯＲ回路の出力は“Ｈ”レベルとなる。
【００３３】
時刻ｔ０において、ＸＮＯＲ回路は、入力にｄ信号の“Ｈ”レベルとｅ信号の“Ｌ”レベルが供給されるので、出力は“Ｌ”レベルとなる（ｊ波形）。ＦＦｂ１のＤ入力端子に供給されるｄ信号は“Ｈ”レベルであり、ｅ信号の“Ｌ”レベルがＣＫに入力されるので、出力は“Ｌ”レベルのままである（図１０（Ａ）ｆ波形）。ＦＦｂ２のＣＫ入力端子にｅ信号を反転信号が供給されるが、遷移状態でないのでＤ入力信号にかかわらず“Ｌ”レベルである（ｇ波形）。
一方ＤＦＦａ１のＤ入力端子にはｅ信号の“Ｌ”レベルが、またＣＫ入力端子にはｄ信号の“Ｈ”レベルが供給されるので、Ｑ出力は“Ｌ”である（ｈ波形）。ＤＦＦａ２のＤ入力端子にはｅ信号が供給され、ＣＫ入力端子にはｄ信号とＤＦＦａ１のＱ出力信号（“Ｌ”）をＡＮＤ４で演算した“Ｌ”レベルが供給され、非動作状態でＱ出力は“Ｌ”である（ｉ波形）。
その結果ＮＯＲ１回路の全ての入力信号レベルは“Ｌ”となり、出力は“Ｈ”レベルとなる（ｋ波形）。
【００３４】
次に時刻ｔ１において、ｄ信号は“Ｈ”レベル、ｅ信号は“Ｌ”レベルから“Ｈ”レベルへ遷移する。ＸＮＯＲ出力は“Ｌ”レベルから“Ｈ”レベルに遷移し（ｊ波形）、ＤＦＦｂ１はＣＫ入力信号の立上りでＤ入力信号のｄ信号の“Ｈ”レベルを取り入れ、Ｑ出力は“Ｈ”レベルになる（ｆ波形）。ＤＦＦｂ２のＣＫ入力信号は立下りエッジであるのでＱ出力は“Ｌ”レベルを保持したままである（ｇ波形）。ＤＦＦａ１において、Ｄ入力端子にｅ信号の“Ｈ”レベルが供給され、ＣＫ入力端子はｄ信号の“Ｈ”レベルの信号が供給されているが、立上りエッジでないため、以前のＱデータ（“Ｌ”レベル）が保持されたままである（ｈ波形）。
ＤＦＦａ２のＤ入力端子にはｅ信号の“Ｈ”レベルが供給され、ＣＫ入力端子にはＡＮＤ１からの“Ｌ”レベルが供給されるので、Ｑ出力は“Ｌ”レベルである（ｉ波形）。
したがって、ＮＯＲ１回路の入力は第１入力端子に供給されるｊ波形が“Ｈ”レベルでその他は“Ｌ”レベルであるので、ＮＯＲ１回路出力端子のレベルは“Ｈ”レベルから“Ｌ”へ遷移する（ｋ波形）。
【００３５】
時刻ｔ２において、ｄ信号は“Ｈ”レベルから“Ｌ”レベルへ遷移し、ｅ信号は“Ｈ”レベルである。ＸＮＯＲに出力は“Ｈ”レベルから“Ｌ”レベルへ遷移する（ｊ波形）。ＤＦＦｂ１のＣＫ入力端子は“Ｈ”レベルのままで遷移状態でないので以前の出力データＱ（“Ｈ”レベル）を保持したままである（ｆ波形）。ＤＦＦｂ２もＣＫ入力端子に供給される信号が立ち上がりの遷移状態でないので、以前のＱ出力（“Ｌ”レベル）を保持したままである（ｇ波形）。
ＤＦＦａ１はＣＫ入力端子に供給されるｄ信号が“Ｌ”レベルの立下り波形であるので、Ｑ出力は以前の“Ｌ”レベルを保持したままである（ｈ波形）。またＤＦＦａ２はＡＮＤ１回路の“Ｌ”レベルが供給されているの、Ｑ出力のレベルは変化せず“Ｌ”レベルのままである（ｉ波形）。
その結果ＮＯＲ１回路に供給される入力はＤＦＦｂ１のＱ出力（ｆ波形）が“Ｈ”レベルでそれ以外は“Ｌ”レベルであるから、ＮＯＲ１回路の出力は“Ｌ”レベルである。
【００３６】
時刻ｔ３において、ｄ信号とｅ信号の信号レベルはともに、時刻ｔ２と同じ入力条件であるので、その結果ＮＯＲ１回路の出力も時刻ｔ２と同じである（ｋ波形）。        
【００３７】
時刻ｔ４において、ｄ信号は“Ｌ”レベルから“Ｈ”レベルへ遷移する。一方ｅ信号は“Ｈ”レベルのままである。
ＸＮＯＲ回路の出力は“Ｌ”レベルから“Ｈ”レベルと遷移し、またＤＦＦｂ１のＣＫ入力端子に供給されるｅ信号は変化しないので、Ｑ出力端子のでーたは以前のデータ“Ｈ”レベルを保持したままである（ｆ波形）。ＤＦＦｂ２も同様にＣＫ入力端子に供給される信号、すなわちｅ信号を反転した信号は波形の立上り遷移状態でないので、出力レベルは変化しない（ｇ波形）。
ＤＦＦａ１のＤ入力端子はｅ信号の“Ｈ”レベル信号が供給され、ＣＫ入力端子にはｄ信号が供給され、かつｄ信号の立上りの遷移状態であるので、Ｄ入力端子に供給されるｅ信号の“Ｈ”レベルが取り込まれ、その結果Ｑ出力は“Ｈ”レベルとなる（ｈ波形）。
さらに、ＤＦＦａ２のＤ入力端子にはｅ信号の“Ｈ”レベルが供給されるが、ＣＫ入力端子にはＡＮＤ４回路出力、“Ｌ”レベルが供給される。その結果Ｑ出力端子のレベルは以前のデータ“Ｌ”を保持したままである（ｉ波形）。
その結果、ＮＯＲ１回路の第３入力端子と第５入力端子に供給されるレベルは“Ｌ”レベルで、それ以外の第１、第２、第５入力端子に供給されるレベルは“Ｈ”レベルである。ＮＯＲ１回路の出力レベルはそれゆえ“Ｌ”レベルである。
【００３８】
時刻ｔ５において、ｄ信号は“Ｈ”レベル、ｅ信号が“Ｈ”レベルから“Ｌ”レベルへ遷移する。この結果ＸＮＯＲ回路の出力は“Ｈ”レベルから“Ｌ”へ遷移する（ｊ波形）。ＤＦＦｂ１はｅ信号は立下りであるため、Ｑ出力は変化しない（ｆ波形）。一方ＤＦＦｂ２のＣＫ入力端子に供給される信号は、立上り波形が供給されるので、ｔ５のタイミングで、ｄ信号レベル“Ｈ”が取り込まれ、その結果Ｑ出力は“Ｈ”レベルとなる（ｇ波形）。
ＤＦＦａ１のＣＫ入力はｄ信号の波形は遷移しないので、Ｑ出力端子のデータは以前のデータ（“Ｈ”レベル）と同じである（ｈ波形）。ＤＦＦａ２のＤ入力端子にはｅ信号の“Ｌ”レベルが供給され、ＣＫ入力端子にはＡＮＤ１から“Ｈ”レベルの信号が供給されるが、遷移状態でないため、以前の“Ｌ”レベルが保持される（ｉ波形）。
したがって、ＮＯＲ１回路の第１と第５入力端子に供給される波形のみが“Ｌ”レベルで、それ以外は“Ｈ”レベルとなり、出力結果は“Ｌ”レベルとなる（ｋ波形）。
【００３９】
以下同様に繰り返す。
その結果、内部クロック進み信号のｄ信号は、時刻ｔ０〜ｔ１の期間のみ“Ｈ”レベルで、それ以外の時刻ｔ１〜ｔ５までは“Ｌ”レベルとなる。このｔ０〜ｔ１期間の“Ｈ”レベルのパルス期間に応じたデータが次段の遅れ・進み積算回路に供給される。
【００４０】
次に、図９（Ｂ）は、内部クロック１Ｈｚ（ｄ信号）が基準クロック１秒（ｅ信号）より遅れた場合の各回路の入力、出力端子の波形とそのタイミングチャートを示したものである。動作説明は図９（Ａ）の場合と基本的に同じであるので詳細な説明は省略する。
時刻ｔ０のときは、ＮＯＲ２回路に入力されるｆ，ｇ，ｈ，ｉ信号は“Ｌ”レベルで、ｊ波形（信号）のみが“Ｈ”レベルとなる。その結果ＮＯＲ２回路の出力は“Ｌ”レベルとなる。時刻ｔ１では、ＮＯＲ２回路全ての入力が“Ｌ”レベルとなるので、出力は“Ｈ”レベルとなる。時刻ｔ２において、ｆとｇ信号が“Ｌ”レベル，それ以外のｈ，ｉ，ｊ信号は全て“Ｈ”レベルとなり、その結果ＮＯＲ２回路の出力は“Ｈ”から“Ｌ”レベルへ遷移する（ｌ波形）。
【００４１】
ｔ２からｔ４以前の期間は各回路の入力条件は変化せず、ＮＯＲ２回路の出力は“Ｌ”レベルを維持したままである。
時刻ｔ４でｄ信号が“Ｌ”レベルになり、その結果ｊ信号が“Ｌ”レベルとなるが、ｉ出力は“Ｌ”レベルのままである。その結果ＮＯＲ２回路の出力は“Ｌ”レベルである。
時刻ｔ５において、ｅ信号が“Ｈ”レベルから“Ｌ”レベルに変化するが、ｊ信号が“Ｌ”から“Ｈ”に変化するのみで、ＮＯＲ２回路の出力は”Ｌ“レベルを維持したままである。
この結果、内部クロックが基準クロックよりｔ１〜ｔ２の期間遅れている。このパルスを次段の遅れ・進み積算回路に位相遅れとして供給する。
以上、上述したように、図９（Ａ）の内部クロック１Ｈｚ（ｄ信号）が基準クロック１秒（ｅ信号）より位相が進んだとき、その位相が進んだ信号をＮＯＲ２回路からｋ信号として取り出し、またその逆で位相が遅れた場合、図９（Ｂ）に、ＮＯＲ１回路からｌ信号として取り出している。
【００４２】
図７に遅れ・進み積算回路に関する回路構成例を示す。図６に示したＮＯＲ１回路とＮＯＲ２回路の各出力端子がＯＲ１回路の入力端子に接続され、この出力端子がＡＮＤ２回路の一方の入力端子に接続されている。またこの他方の入力端子にＯＳＣの出力端子が接続されている。
ＡＮＤ２回路の出力はＤＦＦｃ１のＣＫ入力端子に接続され、ＸＱ（Ｑ出力の反転を示す）出力端子はＤ入力端子に接続され、Ｑ出力端子からデータｏが取り出される。またＸＱ出力端子は次段のＤＦＦｃ２のＣＫ入力端子に接続され、ＸＱはこのＤＦＦｃ２のＤ入力端子に接続され、Ｑ出力端子からデータｐが取り出される。以下同様な回路構成がＤＦＦｃｎまで繰り返される。
この結果、図１０に示すように、位相の進み信号ｋと遅れ信号ｌがＯＲ１で合成され（ｍ波形）、その結果をＯＳＣの４．１９９４３０４ＭＨｚ信号とＡＮＤ論理演算（ｎ波形）したのち、この演算結果（ｎ波形）をＤＦＦｃ１のＣＫ入力端子に供給し、さらにＤＦＦｃ１からＤＦＦｃｎで構成するカウンタで計測し、そのデータを各ＤＦＦのＱ出力端子（ｏ，ｐ，・・・）からそれぞれ取り出し、制御回路１４内の演算器に供給する。
演算器で、各ＤＦＦの出力データを用いて、位相の進み、遅れを積算し、この結果を制御回路１４に備えられたマイクロコンピュータに、遅れ・進み補正回路の遅れリセット解除信号や進みカウンタリセット信号を供給し、誤差が所定値以上の場合、たとえばマイクロコンピュータで制御信号、ＣＴＬ１を生成してバッファ回路１７を介して秒針駆動用ステッピングモータ１２１を駆動し秒針を修正する。また誤差が所定値以下の場合、たとえば、０．５秒以下の場合は、秒針を必ずしも修正する必要はなく、そのままの状態にしておく。
【００４３】
次に、図８に遅れ、進み補正回路の具体構成例を示す。水晶発振器ＯＳＣは基本的にクリスタルＸｔａｌとインバータＩＮＶ１で構成され、その出力にバッファとしてインバータＩＮＶ２が接続されている。また、クリスタルＸｔａｌの入出力に並列に、周波数調整や、温度補償などを行うため、キャパシタを追加接続しても良い。ＩＮＶ２の出力が、Ｄ型フリップ・フロップＤＦＦ１のクロック入力端子ＣＫに接続され、さらにこのＸＱ（Ｑバー；Ｑ反転出力）がＤ入力に帰還されて、カウンタを構成している。このＤＦＦ１のリセット端子Ｒは演算器の進みカウンタリセット信号供給端子ＥＲ２に接続されている。ＤＦＦ１のＸＱ出力端子は次段のＤＦＦ２のＣＫ入力端子に接続され、このＸＱ出力端子はＤＦＦ１と同様にＤ入力端子に接続され、ＸＱのデータを帰還している。
以下同様にＤＦＦ３〜ＤＦＦｎ−２、ＤＦＦｎ−１と縦続接続する。ＤＦＦ３〜ＤＦＦｎ−２、ＤＦＦｎ−１のリセット端子Ｒは演算器の進みカウンタリセット信号供給端子ＥＲ２に接続されている。
さらに、ＩＮＶ２の出力は、破線で示す遅れ補正回路のＣＬＫ端子に接続されている。この遅れ補正回路は、ＡＮＤ回路やＤＦＦなどで構成される。また、演算器のＥＲ１出力端子がリセット入力端子Ｒｉｎに接続され、遅れリセット解除信号が供給されている。
またこの演算器の遅れリセット解除信号端子（ＥＲ１）はＡＮＤ３回路の一方の入力端子に接続され、他方の入力端子はＤＦＦｎ―１のＸＱ出力に接続されている。ＡＮＤ３回路の出力端子は、ＯＲ１回路に一方の入力端子に接続されている。
ＯＲ１回路の他方の入力端は遅れ補正回路の出力端子ＯＵＴに接続され、出力端子はＤＦＦｎのＣＫ入力端子に接続されている。またこのＤＦＦｎのＱ出力端子は演算器の入力端子ＩＮｅに接続され，Ｒ端子は演算器のＥＲ２端子に接続されている。
【００４４】
次に、この遅れ・進み補正回路についての動作を図８と図１１を用いて説明する。
電波修正時計の制御回路１４の一部を構成する水晶発振器ＯＳＣから４．１９４３０４Ｈｚの周波数の発振信号がＩＮＶ２を介してＤＦＦ１のＣＫ入力と遅れ補正回路のＣＬＫ端子に供給される。いま、演算器からの遅れリセット解除信号ＥＲ１がハイレベル（“Ｈ”）とすると、遅れ補正回路のＲｉｎ端子に“Ｈ”レベルの信号が供給され、出力端子ＯＵＴは“Ｌ”レベルが出力される。ＡＮＤ３回路の入力には遅れリセット解除信号の“Ｈ”レベルが供給され、ＤＦＦｎ−１のＸＱ出力信号がＡＮＤ３回路に供給され、その結果ＤＦＦｎ−１のＸＱ信号がＡＮＤ３回路の出力端子から出力される。そして、ＯＲ１回路の入力にはＡＮＤ３回路の出力と遅れ補正回路のＯＵＴ出力端子から出力が供給される。しかしこのとき、遅れ補正回路の出力レベルは“Ｌ”レベルであり、ＯＲ１回路の出力から、ＡＮＤ３回路の出力データのみが取り出される。すなわち、ＯＲ１回路の出力ｂにはＤＦＦｎ−１のＸＱ出力のデータが取り出され、図１１（Ａ）のタイミングチャートｂに示すようになる。ｔ０〜ｔ５まで繰り返し波形となっている。ＯＲ１の出力ｂからの出力信号がＤＦＦｎのＣＫ入力に供給され、このＤＦＦｎでＣＫ入力信号の立下りに同期して１／２に分周される。その結果の波形がタイミングチャートのｃに示してある。
【００４５】
いま、演算器からの遅れリセット解除信号ＥＲ１が時刻ｔ５でローレベル（“Ｌ”）に切り換わった場合、遅れ補正回路のＲｉｎ端子に“Ｌ”レベルの信号が供給され、遅れ動作をさせるための波形形成の動作が始まる。一方ＡＮＤ３回路にも遅れリセット解除信号ＥＲ１の“Ｌ”レベル信号が供給されるので、ＤＦＦｎ−１のＸＱ端子からデータが供給されるのにもかかわらず、そのＡＮＤ３回路の出力はローレベル“Ｌ”になる。
その結果、ＯＲ１回路の出力ｂは遅れ補正回路の出力端子ＯＵＴから出力されるデータ（波形ａ＝ｂ）がｔ５からｔ８の期間、出力される。
ＯＲ１回路の出力ｂからのデータはＤＦＦｎのＣＫ入力に供給され、この供給された信号の立下りに同期して１／２に分周されＱ出力から信号（波形）ｃが取り出される。ＯＲ１回路からの出力波形（ｂ）をこの立下り波形に同期して次段のＤＦＦｎで１／２に分周される。そのタイミングチャート図１１（Ａ）のｃに示す。
この結果、遅れリセット解除信号が供給された時刻ｔ７〜ｔ８で、波形ｃの立上りが早くなり、時間遅れを補正している。たとえば、０．５秒以上遅れていた場合、この遅れリセット解除信号が供給されると、瞬時に０．５秒、位相を早める。それに基づいて、秒針を修正する。
【００４６】
次に、進みカウンタリセット信号を用いた内部クロック信号を発生する動作について説明する。このとき、演算器からのＥＲ１信号レベルは“Ｈ”に設定してある。このため、ＤＦＦｎ＋１は非動作状態になり、Ｑ出力は“Ｌ”レベルとなるから、ＯＲ１回路の出力からはＡＮＤ３回路の出力データと同じデータが出力される。
【００４７】
図１１（Ｂ）のタイミングチャートにおいて、ｔ０でリセット信号が“Ｈ”レベルから“Ｌ”レベルに遷移するので、ＤＦＦ１〜ＤＦＦｎは動作を開始する。ＤＦＦ１〜ＤＦＦｎ−１までＯＳＣからの出力信号を分周し、たとえば４．００１９４３０４ＨｚをＤＦＦｎ−１のＸＱ出力で２Ｈｚになるようにする。この２Ｈｚに分周されたＸＱデータはＡＮＤ３回路に供給され、ＡＮＤ３回路の他方の入力には“Ｈ”レベルが供給されているから、ＡＮＤ３回路の出力ｂからの出力データはＤＦＦｎ−１のＸＱ出力データと同じデータ（波形）となる。ＡＮＤ３回路の出力データｂはさらに、ＤＦＦｎのＣＫ入力端子に供給され、ＣＫ入力は計の立下りデータに同期して、１／２分周され、この結果がＱ出力端子からデータｃすなわち、１Ｈｚのデータが取り出され、演算器の入力ＩＮｅに供給される。データｃの波形について、図１１（Ｂ）のｃにそのタイミングチャートを示す。
この結果、時刻ｔ０でパルスが立ち上がるのを時刻ｔ２まで遅延させて、時間（秒）が進んでいたのを遅らせ、秒針を調整して標準時刻の秒に合わせることができる。
いじょうのように、遅れ・進み時刻の秒時刻を内部クロックの秒情報と基準クロックの秒同期信号を用いて短時間に微調整ができる。
【００４８】
また、制御回路１４は、秒情報（全コード）受信モード時には、検出したパルスのレベルの切り換わり点に基づいて内部時計１４０１が計時する秒情報を修正する。
さらに、全コード受信モード時には、長波受信回路１１０が受信した標準時刻電波信号のうち分情報、時情報、日情報、またはうるう秒情報のいずれかに基づいて、内部時計１４０１が計時する時刻情報を修正する。
【００４９】
また、制御回路１４は、内部時計１４０１が計時する時刻情報を修正した場合には、時刻表示部として例えば、秒針用モータ１２１や時分針用モータ１３１、輪列、および指針により表示された時刻や、液晶表示装置等による時刻表示装置による表示時刻を修正する。
【００５０】
また、制御回路１４は、例えば通常時には、内部時計１４０１による時刻情報に基づいて、秒針を第１の距離単位毎に回転移動させる駆動信号（制御信号）ＣＴＬ１を秒針用モータ１２１に出力し、時針および分針を第２の距離単位毎に回転移動させる駆動パルス信号（制御信号）ＣＴＬ２を時分針用モータ１３１に出力して、指針である時針、分針、秒針により現時刻表示を行わせる。
【００５１】
また、制御回路１４は、内部時計１４０１が計時する標準時刻情報（時刻情報ともいう）に基づいて、予め設定された時刻（設定時刻）に時刻修正動作を行う。
【００５２】
また、制御回路１４は、標準時刻電波信号の受信状態が良好であると判別した場合には、アンテナＡＮＴを介して長波受信回路１１０が受信した標準時刻電波信号を基に、内部時計１４０１が計時する時刻情報を修正し、内部時計１４０１が計時する時刻情報を基に、秒針駆動系１２０および時分針駆動系１３０を駆動して、指針による表示時刻を修正する。
【００５３】
次に、遅れ・進み補正回路の遅れ補正回路の変形例（図示せず）について説明する。
図８において、ＩＮＶ２の出力は、ＡＮＤ１１回路（ＡＮＤ１１）とＡＮＤ１２回路（ＡＮＤ１２）の一方の入力端子にそれぞれ接続されている。ＡＮＤ１１回路の他方の入力端子はＡＮＤ１２回路の出力と接続されている。
ＡＮＤ１１回路の出力はＤＦＦｎ＋１のＣＫ入力端子に接続され、このＤＦＦｎ＋１のＱ出力はＡＮＤ１２の他方の入力端子に接続され、ＸＱ出力はＤ入力に接続されている。リセット入力端子Ｒｉｎは演算器の遅れリセット解除信号（端子）ＥＲ１に接続されている。
またこの演算器の遅れリセット解除信号（端子）ＥＲ１はＡＮＤ３回路の一方の入力端子に接続され、他方の入力端子はＤＦＦｎ―１のＸＱ出力に接続されている。ＡＮＤ３回路の出力端子は、ＯＲ１回路に一方の入力端子に接続されている。
ＯＲ１回路の他方の入力端はＡＮＤ２回路の出力端子に接続され、出力端子はＤＦＦｎのＣＫ入力端子に接続されている。またこのＤＦＦｎのＱ出力端子は演算器の入力端子ＩＮｅに接続され，Ｒ端子は演算器のＥＲ２端子に接続されている。
【００５４】
このように構成された遅れ補正回路は、演算器の出力ＥＲ１から遅れリセット解除信号がＤＦＦｎ＋１のＲ端子に供給されると、回路が動作して、たとえば図１１（Ａ）のＲ，ａ波形の信号を発生し、瞬時にリセットされる。その結果、たとえば、０．５秒遅れていた場合、ｂ，ｃ波形のようになり位相を早め、０．５秒進ませることができ、これに基づいて秒針を駆動して、秒について時刻修正を行う。
【００５５】
また、上記の変形例において、ＡＮＤ１１の入力がＩＮＶ２の出力と接続されていたが、他の変形例として、このＡＮＤ１１の入力をＤＦＦｎ−２のＸＱ出力としても、同様に動作させることができる。
また、これ以外の遅れ進み回路の変形例として、マイクロコンピュータを用いて（図示せず）、プログラムにより同様な機能を実現することができる。
【００５６】
以下、詳細に制御回路１４の時刻修正に係る機能を説明する。
制御回路１４は、例えば初期状態、および時刻修正スイッチＳＷ１２１が操作された場合には、指針車の原点検出処理を行い、内部時計１４０１で計時される時刻情報に応じた駆動信号（制御信号）ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００５７】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００５８】
制御回路１４は、所定の時間、例えば本実施形態では８秒間の標準時刻電波信号のサンプリング（例えば３２Ｈｚ）を行い、そのサンプリングの結果に基づいて受信状態を判定する。詳細には、制御回路１４は、例えば標準電波受信系１１から入力される信号Ｓ１１のサンプリング（例えば３２Ｈｚ）を行い、エッジｅｄを検出し、そのエッジｅｄの有無や数に基いて受信状態を判定する。
【００５９】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００６０】
制御回路１４は、受信状態が基準範囲にない場合には、ドライブ信号ＤＲ１をドライブ回路１５に出力して、発光素子１６を発光させてユーザに標準電波信号がほとんど受信できない旨を報知させる。
【００６１】
また、制御回路１４は、標準電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じて時分針用モータ１３１に制御信号ＣＴＬ２として、修正のためのパルス信号Ｐを入力して早送り駆動等を行い、指針による時刻表示部の修正を行う。
【００６２】
次に、電波修正時計のムーブメントおよび指針位置検出系の具体的な構成について、図２，３、図１２〜図１９に関連付けて説明する。
【００６３】
時計本体１００は、図２，３に示すように、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００６４】
第１駆動系１２０は、図２に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用モータ１２１と、ロータ１２１ｃのピニオン１２１ｄに大径歯車１２２ａが噛合した第１伝達歯車（第１検出用歯車）としての第１の５番車１２２と、この第１の５番車１２２の小径歯車１２２ｂに噛合した第２検出用歯車（第１指針車）としての秒針車１２３とにより構成されている。
ここで、秒針用モータ１２１は、ステータ１２１ａが中板１１３に載置して固定され、ロータ１２１ｃが中板１１３と上ケース１１２とに軸支されており、制御回路１４の制御信号ＣＴＬ１に基づいて、その回転方向、回転角度、および回転速度が制御される。
【００６５】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用モータ１２１のロータ１２１ｃ（ピニオン１２１ｄ）と噛合して、ロータ１２１ｃの回転速度を所定速度に減速させる。この第１の５番車１２２には、図１２，１４に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００６６】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１２，１５に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００６７】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００６８】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２３の回転角度位置の位置決めに用いることで、確実な位置決めを行うことができる。
【００６９】
秒針車１２３においては、図１５に示すように、複数（１１個）の透孔１２３ｃを設ける代わりに、図１６に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００７０】
第２駆動系１３０は、図２，３、および図１３に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用モータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用モータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００７１】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用モータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００７２】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１７に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００７３】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００７４】
また、分針車１３４には、図１８に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００７５】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００７６】
時針車１３６は、大径歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００７７】
また、時針車１３６には、図１９に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００７８】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００７９】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００８０】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【００８１】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００８２】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００８３】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、円形貫通孔１１１ｄが位置する取付け凹部１１２ｃに受光素子１４４を取付ける。
【００８４】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００８５】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００８６】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００８７】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００８８】
分針車１３４の分針パイプ１３４ｐの先端部および時針車１３６の時針パイプ１３６ｐの先端部には、図１９に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００８９】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００９０】
図２１は、図１に示した電波修正時計の動作を説明するためのフローチャートである。図２１と図２２を参照しながら、電波修正時計の動作を制御回路１４の動作を説明する。
【００９１】
ステップＳＴ１において、制御回路１４は、初期設定、例えば内部変数等の初期設定を行う。
ステップＳＴ２において、制御回路１４は、通常モードであるか時刻修正モードであるか否かを判別する。例えば、制御回路１４は、後述するように予め設定された修正時刻以外の時や、時刻修正スイッチＳＷ１２１が操作されていないときには、通常モードであると判別する。
通常モード時には、内部時計１４０１は、発振回路１３による信号Ｓ１３に基づいて計時を行い、その計時による時刻情報に基づいて、秒針用モータ１２１および時分針用モータ１３１に通常運針時の駆動パルス信号（制御信号）ＣＴＬ１およびＣＴＬ２を出力し輪列を駆動して、指針に現時刻を表示させ（ＳＴ３）、ステップＳＴ２の処理に戻る。
【００９２】
一方、ステップＳＴ２において、制御回路１４は、通常運針でないと判別した場合、詳細には例えば、時刻修正スイッチＳＷ１２１が操作された場合には（ＳＴ４）、ステップＳＴ１１の全コード受信モードに遷移する。
【００９３】
また、ステップＳＴ２，ＳＴ４において強制受信ではなく、予め設定された受信条件を満たすか否か、例えば所定時間、詳細には１２時間以内に全コード受信モードを行ったか否かが判別され、１２時間以内に全コード受信モードを行ったと判別した場合には、ステップＳＴ６〜ＳＴ８の秒受信モードに関する処理を行う。１２時間以内に全コード受信モードを行っていないと判別した場合には、ステップＳＴ１１〜ＳＴ１３の全コード受信モードの処理を行う。
【００９４】
ステップＳＴ５において、秒情報受信モードと判断された場合、ステップＳＴ６に移行し、秒時刻について内部クロックと基準クロックの位相測定、すなわち位相遅れ・進みの判定と測定を行う。以下、判定について具体的に説明する。図２２において、図２２（Ａ）から（Ｃ）に内部クロックの１秒同期信号の立上り波形が基準秒同期信号の立上り波形より進んでいる場合を示す。
ここで、Ｈはハイレベル、Ｌはローレベルを示し、（  ）のカナは各波形の位置を示す。
まず、基準秒同期信号の立上りを基準に位相を下記のように調べる。
基準秒同期信号立上りＨ（ア）−内部クロックＨ＝０（オ）
基準秒同期信号立下りＬ（イ）−内部クロックＨ＝Ｈ（カ）
の状態を「進み」と判断する。
図２１（Ｄ）から（Ｆ）において、
基準秒同期信号立上りＨ（ア）−内部クロックＬ＝Ｈ（オ）
基準秒同期信号立下りＬ（イ）−内部クロックＬ＝０（カ）
の状態を「遅れ」と判断し、再チェックとして内部クロックを基準に下記の計算を行う。
つぎに、内部クロック波形の立上りを基準として、位相を下記のように調べる。
内部クロック立上り（ウ）Ｈ−基準秒同期信号Ｌ＝Ｈ（キ）
内部クロック立上り（イ）Ｈ−基準秒同期信号Ｈ＝０（カ）
内部クロック立上り（ウ）Ｈ−基準秒同期信号Ｈ＝０（キ）
内部クロック立上り（イ）Ｈ−基準秒同期信号Ｌ＝Ｈ（カ）
これらの結果から、位相の遅れ・進みを判断するとともに、図２２（Ｃ），（Ｆ）に示すように、秒同期信号に対して各「進み」「遅れ」の時間を、図７の遅れ・進時間計測回路を用いて計測する（ステップＳＴ７）。
ステップＳＴ８において、制御回路１４は、遅れ・進みの時間を計測した結果が所定値、たとえば０．５秒に達したがどうか判断する。たとえば、０．５秒以上の遅れ・進みがあると、図８に示す遅れ・進み補正回路により、内部クロックの１秒を逆補正して調整し、基準秒同期信号に合わせる。一方、計測結果が所定値、たとえば０．５秒未満の場合は、内部クロックの１秒は修正せず、ステップＳＴ２の通常運針へ戻る。
ステップＳＴ９において、制御回路１４は、遅れ・進みの時間を計測した結果が所定値、たとえば０．５秒以上に達したとき、図８に示す遅れ・進み補正回路を用いて、内部クロックの秒針を調整し基準秒同期信号に合わせる。そして、ステップＳＴ２の通常運針へ戻る。
【００９５】
一方、ステップＳＴ５において、強制受信モードか否かの判断において、全コード受信モードと判断されると、ステップＳＴ１１へ移行する。
【００９６】
ステップＳＴ１１において、制御回路１４は、全コード受信モード時には、長波受信回路１１０に、所定時間、標準時刻のうち分情報、時情報、日情報、またはうるう秒情報のいずれかに応じて規定された信号を基に変調された標準時刻電波信号を受信させる。
【００９７】
ステップＳＴ１２において、制御回路１４は、長波受信回路１１０が受信した標準時刻電波信号にパルス幅を基にデコード処理を施して、標準時刻電波信号のうち分情報、時情報、日情報、うるう秒情報、サマータイム情報、および定停波情報等に基づいて、内部時計１４０１が計時する時刻情報を修正する。
【００９８】
ステップＳＴ１３において、詳細には制御回路１４は、秒情報受信モード時に処理していない情報、例えば全コード受信モード時に受信した、うるう秒情報や、サマータイム情報等をチェックして、内部時計１４０１による時刻情報を修正し、ステップＳＴ９の処理に進む。
【００９９】
図２１に示したステップＳＴ６からステップＳＴ８に関する動作は、このフローチャートに示されたシステムに限定されるものでない。他の変形例として、初期に全コードを受信して時刻修正した後であれば、あらゆるモード、たとえば通常モードや標準時刻電波信号全コード受信などに対しても当然適用でき、その結果短時間に秒修正ができる。
【０１００】
図２３は、図１に示した電波修正時計の指針位置検出処理の動作を示すフローチャートである。図２３を参照しながら、電波修正時計１の制御回路１４によるステップＳＴ１０の時刻修正処理の一具体例、指針位置検出処理を説明する。
【０１０１】
制御回路１４は、指針駆動系を駆動して基準位置検出手段の検出処理に基づいて指針車の基準位置を検出した後、内部時計１４０１による時刻情報に基づいて指針車の指針位置を設定する。
【０１０２】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【０１０３】
続いて、制御回路１４から制御信号ＣＴＬ１が出力されて秒針用モータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【０１０４】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用モータ１３１が１ステップ（パルス）駆動され（ＳＴ１０７）、その後再び秒針用モータ１２１がステップ駆動され（ＳＴ１０２）て、秒針車１２３が回転駆動される。
【０１０５】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１０６】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【０１０７】
続いて、制御回路１４から制御信号ＣＴＬ２が出力されて時分針用モータ１３１のみが所定の出力周波数でパルス駆動されて分針車１３４が早送りされる（ＳＴ１１１）。
【０１０８】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１０９】
一方、ステップＳＴ１１２の比較の結果、得られた出力パターンと記憶された出力パターンとが適合した場合は、その時点で、制御信号ＣＴＬ２の出力が停止され、時分針用モータ１３１が停止されて、分針車１３４および時針車１３６の駆動が停止される（ＳＴ１１３）。
【０１１０】
ここで、出力パターンと予め記憶された出力パターンとの比較による時分針車の位置検出処理は、３種類のパターンのいずれかに合わせることにより行われる。
【０１１１】
図２４は、図１に示した電波修正時計の検出光の出力パターンを説明するための図である。
すなわち、分針車１３４によるフォトトランジスタの出力パターンは、図２４（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２４（ｂ）に示すように、遮光部が作用するオフの幅が３種類のＤ部、Ｅ部、Ｃ部が所定間隔をおいて交互に現れるようなパターンとなり、両者を合成した出力パターンは、図２４（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２３に示すパターンのうちオンとなるパターンの部分は、実際には３番車１３３の遮光部によりオフとなる部分があるので、歯抜け状のパターンとなっている。
【０１１２】
また、例えば分針車１３４および時針車１３６の基準位置として、図２４に示すように、１２時００分、４時００分、および８時００分の位置に設定されている。
【０１１３】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用モータ１３１を停止させることで、分針車１３４および時針車１３６すなわち分針および時針を所定の時刻に時刻修正することができる。
【０１１４】
そして、時分針用モータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１１５】
また、剣付けモードの際に、時分針車の原点検索処理が短くなるような出荷位置ＴＳ、本実施形態では１０時３０分に設定する場合を図２３を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図２４に示したように、出荷位置ＴＳから秒針車および時分針車を駆動させて検出光を貫通させた後、時分針を止めて秒針原点検索を行う。その後時分針車を回転させて、光検出センサ１４０でＣ部を検出することで、略１２時の位置であることを検出し、Ｂ部およびＡ部を検出した時点で停止させることにより、時分針が所定の基準位置１２時００分に設定される。
【０１１６】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１１７】
以上、説明したように、全コード受信モードで時刻修正したのち、標準時刻電波信号を受信し、この標準時刻電波信号のパルスの標準秒同期信号と内部クロックの秒信号の位相を検出し、その位相差に応じて時刻表示部の秒を短時間に修正できるようにした。
【０１１８】
よって、電源投入時に正確な時刻データを取得できれば、その後は、秒の補正だけで正確な時間表示を行うことができる。
【０１１９】
従来の時間修正では、時刻補正に標準電波のタイムコードの時、分、秒を１分から２分間全てのコードを読み取らなければならず、一回でもデータが取れなければ時刻の補正ができなかったが、２回目以降の秒補正では秒同期信号のみが読み取れれば秒修正ができるので、ノイズその他の外的要因による標準電波の障害に対して秒補正が向上する。
【０１２０】
また、標準電波信号の標準時刻全コードを受信する必要がなく、秒同期信号のみを用いて秒情報を修正するので、全コード受信モードにより時刻修正を行う場合と比べて消費電力が小さい。
【０１２１】
なお、本発明は本実施形態に限られるものではなく、任意好適な種々の変更が可能である。
【図面の簡単な説明】
【０１２２】
【図１】本発明に係る電波修正時計の第１実施形態の機能ブロック図である。
【図２】図１に示した電波修正時計の構成図である。
【図３】図２に示した電波修正時計の断面図である。
【図４】本発明に係る制御回路における電波受信状態を説明するための図である。
【図５】標準時刻電波信号の時刻コードの一具体例を示す図である。
【図６】遅れ・進み判定回路構成例を示す回路図である。
【図７】遅れ・進み積算回路構成例を示す回路図である。
【図８】遅れ・進み補正回路構成例を示す回路図である。
【図９】図６に示した、遅れ・進み判定回路構成例を説明するためのタイミングチャートである。
【図１０】図７に示した、遅れ・進み積算回路構成例を説明するためのタイミングチャートである。
【図１１】図８に示した、遅れ・進み補正回路構成例を説明するためのタイミングチャートである。
【図１２】電波修正時計の一部である秒針を駆動する第１駆動系を示す平面図である。
【図１３】電波修正時計の一部である分針および時針を駆動する第２駆動系を示す平面図である。
【図１４】秒針を駆動する第１駆動系の一部をなす第１の５番車を示す平面図である。
【図１５】秒針を駆動する第１駆動系の一部をなす秒針車を示す平面図である。
【図１６】秒針を駆動する第１駆動系の一部をなす秒針車の他の例を示す平面図である。
【図１７】分針および時針を駆動する第２駆動系の一部をなす３番車を示す平面図である。
【図１８】分針および時針を駆動する第２駆動系の一部をなす分針車を示す平面図である。
【図１９】分針および時針を駆動する第２駆動系の一部をなす時針車を示す平面図である。
【図２０】分針パイプおよび時針パイプの先端部を示す端面図である。
【図２１】図１に示した電波修正時計の動作を説明するためのフローチャートである。
【図２２】秒時刻の位相判別方法を説明するための波形図である。
【図２３】図１に示した電波修正時計の指針位置検出処理の動作を示すフローチャートである。
【図２４】図１に示した電波修正時計の検出光の出力パターンを説明するための図である。
【符号の説明】
【０１２３】
１…電波修正時計、１１…電波受信系、１２…スイッチ群、１３…発振回路、１４…制御回路、１５…ドライブ回路、１６…発光素子、１７…バッファ回路、１８…ドライブ回路、１００…時計本体部（機械機構：ムーブメント）、１１１…下ケース、１１２…上ケース、１１３…中板、１２０…第１駆動系、１２１…第１のモータ、１２２…第１の５番車、１２３…秒針車、１２４…分針車、１２６…６番車、１２７…７番車、１３０…第２駆動系、１３１…第２のモータ（時分針用モータ）、１３２…第２の５番車、１３３…３番車、１３４…分針車、１３５…日の裏車、１３６…時針車、１４０…光検出センサ、１４２…発光素子、１４３…回路基板、１４４…受光素子、１５０…手動修正系、１５１…手動修正軸、１４０１…内部時計、１４０２…メモリ、ＤＦＦ１〜ＤＦＦｎ，ＤＦＦａ１，ＤＦＦａ２、ＤＦＦｂ１，ＤＦＦｂ２，ＤＦＦｃ１〜ＤＦＦｃｎ…Ｄ型フリップ・フロップ、ＮＯＲ１，ＮＯＲ２…ＮＯＲ回路、ＳＷ１２１…時刻修正スイッチ、ＳＷ１２２…リセッスイッチ、ＸＮＯＲ…Ｅｘｃｌｕｓｉｖｅ  ＮＯＲ回路。
【図１】
2006010487.tif 000003
【図２】
2006010487.tif 000004
【図３】
2006010487.tif 000005
【図４】
2006010487.tif 000006
【図５】
2006010487.tif 000007
【図６】
2006010487.tif 000008
【図７】
2006010487.tif 000009
【図８】
2006010487.tif 000010
【図９】
2006010487.tif 000011
【図１０】
2006010487.tif 000012
【図１１】
2006010487.tif 000013
【図１２】
2006010487.tif 000014
【図１３】
2006010487.tif 000015
【図１４】
2006010487.tif 000016
【図１５】
2006010487.tif 000017
【図１６】
2006010487.tif 000018
【図１７】
2006010487.tif 000019
【図１８】
2006010487.tif 000020
【図１９】
2006010487.tif 000021
【図２０】
2006010487.tif 000022
【図２１】
2006010487.tif 000023
【図２２】
2006010487.tif 000024
【図２３】
2006010487.tif 000025
【図２４】
2006010487.tif 000026